(57)【要約】【目的】植樹に際して樹木を安定保持せしめるために使用する植樹安定装置において、特に、屋上緑化の要望に応えるため、ほぼ水平面上で近隣配置される複数の植樹安定装置を相互に連結せしめる連結装置を提供する。【構成】樹木の根鉢の底部ほぼ中央部に位置する台座部から放射方向にアームを延設した植樹安定装置において、複数の植樹安定装置をほぼ水平面上で相互に近隣せしめた状態で、隣接する植樹安定装置を相互に着脱自在に連結する連結装置であり、該連結装置は、隣接する植樹安定装置を相互にほぼ水平面上で回動自在とする連結角度調整手段を備えた構成である。【選択図】        図９
2004290090.tif 000002
【特許請求の範囲】
【請求項１】
樹木の根鉢の底部ほぼ中央部に位置する台座部４から放射方向にアーム５を延設した植樹安定装置において、複数の植樹安定装置Ａをほぼ水平面上で相互に近隣せしめた状態で、隣接する植樹安定装置Ａ、Ａを相互に着脱自在に連結する連結装置Ｂであり、
該連結装置Ｂは、隣接する植樹安定装置Ａ、Ａを相互にほぼ水平面上で回動自在とする連結角度調整手段４３を備えて成ることを特徴とする植樹安定装置における連結装置。
【請求項２】
植樹安定装置Ａにおけるアーム５の先端近傍部に着脱自在な抵抗板装置８を備えると共に、該抵抗板装置８に被着部材４０を設けた構成とされ、
連結装置Ｂは、植樹安定装置Ａの被着部材４０に着脱自在に取付けられてアームの延長方向に延びるブラケット部材４１と、該ブラケット部材４１の先端近傍部に設けた挿着スリーブ４２とを備え、被着部材４０と挿着スリーブ４２の間に位置して連結角度調整手段４３を設けた構成とされ、
それぞれ抵抗板装置及び連結装置を取付けた複数の植樹安定装置を相互に近隣せしめた状態で、一端部を一方の植樹安定装置Ａ１における連結装置Ｂ１（Ｂ１Ｌ）の挿着スリーブ４２に挿着されると共に他端部を他方の植樹安定装置Ａ２（Ａ４Ｌ）における連結装置Ｂ２（Ｂ４Ｌ）の挿着スリーブ４２に装着される連結軸４８を介して、隣接する植樹安定装置を相互に回動自在に連結するように構成して成ることを特徴とする請求項１に記載の植樹安定装置における連結装置。
【請求項３】
植樹安定装置Ａにおけるアーム５の先端近傍部に着脱自在な抵抗板装置８を備えると共に、該抵抗板装置８に被着部材４０を設けた構成とされ、
連結装置Ｂは、植樹安定装置Ａの被着部材４０に着脱自在に取付けられてアームの延長方向に延びるブラケット部材４１と、該ブラケット部材４１の先端近傍部に設けた挿着スリーブ４２とを備え、被着部材４０と挿着スリーブ４２の間に位置して連結角度調整手段４３を設けた構成とされ、
抵抗板装置及び連結装置を取付けた一方の植樹安定装置Ａ１と、抵抗板装置及び連結装置を取外けない他方の植樹安定装置Ａ３（Ａ５Ｌ）を相互に近隣せしめた状態で、一方の植樹安定装置Ａ１における連結装置Ｂ１（Ｂ１Ｌ）の挿着スリーブ４２に対して、他方の植樹安定装置Ａ３（Ａ５Ｌ）のアーム５を装着することにより、隣接する植樹安定装置を相互に回動自在に連結するように構成して成ることを特徴とする請求項１に記載の植樹安定装置における連結装置。
【発明の詳細な説明】
【０００１】
【発明の属する技術分野】
本発明は、植樹に際して樹木を安定保持せしめるために使用する植樹安定装置に関し、特に、屋上緑化の要望に応えるため、ほぼ水平面上で近隣配置される複数の植樹安定装置を相互に連結せしめる連結装置に関する。
【０００２】
【従来の技術】
従来、地表面に樹木を植付ける際には、強風等に耐え得るようにするため、掘削した植付け穴の底部に植樹安定装置を設置し、その上に樹木の根鉢を載置すると共に、根鉢を植樹安定装置に縛りつけ、その後に、植付け穴を埋め戻すことが行われている。このような植樹安定装置は、種々のものが公知であり、通常、枠組形成された金属製のアームの上に根鉢を載置した状態で、アームに係止した係止環にベルトを連結すると共に根鉢の肩部に掛け渡し、ウインチを介して根鉢をアームに縛りつけている。
【０００３】
ところで、近年、ヒートアイランド現象の対策等から、建築物の屋上における緑化が望まれ、次第に普及しつつあり、このような場面において、植樹安定装置の役割が注目されている。
【０００４】
この点に関して、屋上緑化のための従来の植樹方法は、線材を縦横に配置した矩形のメッシュ部材を屋上に配置し、該メッシュ部材とその上に載置した根鉢をベルトにより締結した後、土壌を被せる方法が行われている。
【０００５】
【発明が解決しようとする課題】
然しながら、線材から成るメッシュ部材を使用する従来工法の場合、根鉢の下方に形成されるメッシュの空間に土砂（人工土壌）が行き届くように充填しなければならず、その充填が不十分であると、時間経過後に土痩せするという問題がある。しかも、根鉢に掛け渡したベルトを強く締結すると、線材が湾曲し、このような好ましくない空間を生成し易い。更に、メッシュ部材は、植樹される根鉢の各個に対応する矩形状に形成されており、幅寸法に制限があるため、樹木が倒れる方向のモーメントに対する踏ん張り力にも限界があり、樹木の保持力の点にも問題がある。
【０００６】
そこで、屋上緑化に関しても、地表面における植樹のために使用される植樹安定装置と同様の装置を提供することが望まれるが、屋上緑化に際しては、地表面における植樹とは異なる種々の制約や条件があり、従って、植樹安定装置についても、この点に十分な配慮が必要となる。
【０００７】
（１）図１に矢印で示すように、地表面の近くにおいては建物や樹木等の影響により、風速及び風圧が比較的小さいのに比較して、地表面から離れるに伴って風速及び風圧が次第に大きくなる。このような現象は、建物が高層化すればするほど顕著になる。１０階建のような一般的なビルの屋上の場合、風速及び風圧は、地表面の１．５倍以上であると言われている。従って、台風等の悪天候の時、屋上緑化として植樹された樹木には、想像を絶するほどの風速及び風圧が作用し、倒木の危険が極めて高い。そして、万一、倒木が屋上から地上に落下するようなことがあると、重大な事故を招来する危険がある。このため、植樹安定装置による植樹の保持力と、装置自体に求められる強度は、極めて厳しく検討されなければならない。
【０００８】
（２）この点に関して、地表面（現地盤）での植樹に際しては、植樹安定装置を植え付け穴の内部で現地盤にアンカーを打ち込むことにより、強固に固定することが可能である。然しながら、屋上緑化の場合、建物の躯体破損の危険防止や、防水性の確保等から、このようなアンカーを使用することができない。
【０００９】
（３）また、地表面における植樹の場合、現地盤と同種の土砂により植え付け穴を埋め戻すことにより地盤を固め、植樹安定装置の自重と土砂の重量による固定が可能であるが、建物の強度上、屋上では重量に制限があり、装置自在の軽量化が必要なことは勿論、根鉢を埋設するための土砂にも軽量の人口土壌が使用されるため、地表面におけるような重量による固定が困難である。
【００１０】
（４）しかも、地表面での植樹に際しては、植え付け穴を深く掘削することが可能であるのに対して、屋上では穴を掘削することができず、前述のような重量制限により、充填される土壌の層厚に限りがあり、通常は植穴高が３０〜４０ｃｍのように浅いので、この点からも強固な固定を行い得ない。
【００１１】
（５）更に、屋上緑化においては、生育の遅い樹種や、低木ないし中木が選定される結果、根が活着し自立するまで長期間を要するため、植樹安定装置の耐用年数も長いものでなければならない。
【００１２】
ところで、このような屋上における種々の制約と条件の下において、樹木の高い保持力と耐用年数を満足した植樹安定装置を提供するためには、近隣して配置される複数の植樹安定装置を相互に連結せしめ、全体を一体として樹木の保持力と装置の強度を確保することが望ましい。
【００１３】
この点に関して、本発明者は、特願平９−１０３８７６号（特開平１０−２７６５９４号）に係る植樹安定装置を先に提案したところであり、これによれば、井桁状に組まれたアームから成る梁ユニットに対して、アームと平行な方向に追加の梁ユニットを連結することにより、植樹安定装置を水平面上に広げながら展開することができる。
【００１４】
然しながら、本発明者は、更なる研究の結果、屋上緑化の場合、限られた狭い面積の範囲内において、植樹を所望の配列形態と配列方向に実施されるのが一般的であるから、先に提案した技術のように所定の方向に対してだけアームを拡張できる構成では不十分であることを知見した。
【００１５】
従って、本発明は、上述したような屋上緑化における種々の制約と条件を克服した植樹安定装置であって、複数の植樹安定装置を任意に連結可能としながら、しかも、各樹木を支持する各個の植樹安定装置の設置位置に関する自由性を実現した植樹安定装置における連結装置を提供することを目的とする。
【００１６】
【課題を解決するための手段】
そこで、本発明が手段として構成したところは、樹木の根鉢の底部ほぼ中央部に位置する台座部から放射方向にアームを延設した植樹安定装置において、複数の植樹安定装置をほぼ水平面上で相互に近隣せしめた状態で、隣接する植樹安定装置を相互に着脱自在に連結する連結装置であり、該連結装置は、隣接する植樹安定装置を相互にほぼ水平面上で回動自在とする連結角度調整手段を備えて成る点にある。
【００１７】
この際、植樹安定装置は、アームの先端近傍部に着脱自在な抵抗板装置を備えると共に、該抵抗板装置に被着部材を設けた構成とされ、連結装置は、植樹安定装置の被着部材に着脱自在に取付けられてアームの延長方向に延びるブラケット部材と、該ブラケット部材の先端近傍部に設けた挿着スリーブとを備え、被着部材と挿着スリーブの間に位置して連結角度調整手段を設けた構成とされ、それぞれ抵抗板装置及び連結装置を取付けた複数の植樹安定装置を相互に近隣せしめた状態で、一端部を一方の植樹安定装置における連結装置の挿着スリーブに挿着されると共に他端部を他方の植樹安定装置における連結装置の挿着スリーブに装着される連結軸を介して、隣接する植樹安定装置を相互に回動自在に連結するように構成することができる。
【００１８】
また、植樹安定装置は、アームの先端近傍部に着脱自在な抵抗板装置を備えると共に、該抵抗板装置に被着部材を設けた構成とされ、連結装置は、植樹安定装置の被着部材に着脱自在に取付けられてアームの延長方向に延びるブラケット部材と、該ブラケット部材の先端近傍部に設けた挿着スリーブとを備え、被着部材と挿着スリーブの間に位置して連結角度調整手段を設けた構成とされ、抵抗板装置及び連結装置を取付けた一方の植樹安定装置と、抵抗板装置及び連結装置を取外けない他方の植樹安定装置を相互に近隣せしめた状態で、一方の植樹安定装置における連結装置の挿着スリーブに対して、他方の植樹安定装置のアームを装着することにより、隣接する植樹安定装置を相互に回動自在に連結するように構成することができる。
【００１９】
【発明の実施の形態】
以下図面に基づいて本発明の好ましい実施形態を詳述する。
【００２０】
（植樹安定装置の基本的構成）
図２及び図３は、本発明に係る植樹安定装置の１実施形態について、基本的構成を示している。
【００２１】
図２に示すように、植樹安定装置Ａは、樹木１の根鉢２の底部ほぼ中央部に位置する座板３により形成された台座部４から放射方向にアーム５を延設することにより構成されている。図例の場合、正方形等の矩形の座板３に対して、２本１組の棒材５ａ、５ｂから成るアーム５を溶接等により固着すると共に４方に向けて延設せしめているが、座板３を省略し、アーム５を井桁状に枠組みすることにより中央部に台座部４を構成しても良い。また、図例においては、アーム５を座板３に直接溶接しているが、座板３にパイプ材を溶接等により固着し、該パイプ材にアーム５を着脱自在に固着するように構成しても良い。
【００２２】
各アーム５を構成する棒材５ａ、５ｂは、それぞれ節部６と溝部７を長手方向に交互に配置した剛性の長尺部材により構成することができ、図例の場合、例えば異径鋼棒により形成されている。
【００２３】
各アーム５の延長端部には、ほぼ水平面となる抵抗板８ａが着脱自在に取付けられている。抵抗板８ａは、取付座９を介して一対のスリーブ１０、１０を溶接等により固着しており、アーム５における棒材５ａ、５ｂの自由端をスリーブ１０、１０に挿脱自在に挿入すると共に、セットボルト等の固定手段１０ａ（図４、図９参照）により固定され、これにより抵抗板装置８を構成する。
【００２４】
このように構成されたアーム５に対して根鉢２を縛りつけ固定するためには、保持条片１１と締結条片１２が使用される。
【００２５】
保持条片１１は、図２に示すように、例えば、ポリエステルベルト等の帯状又はテープ状の柔軟且つ強靱なベルトから形成され、連結具１３によりエンドレスのループ状に構成される。連結具１３は、ベルト用バックル等の環状金具から成り、保持条片１１のループ径を調節自在として固定する。
【００２６】
締結条片１２は、図３に示すように、例えば、ポリエステルベルト等の帯状又はテープ状の柔軟且つ強靱なベルトから形成され、緊締手段１４によりエンドレスのループ状に構成される。緊締手段１４は、締結条片１２のループを縮小可能とするものであり、ベルト用バックル等の環状金具により構成しても良いが、ウインチ等の強力な締結機構を備えていることが好ましい。
【００２７】
そこで、図２に示すように、ループ状の保持条片１１を台座部４を囲むようにしてそれぞれのアーム５の下側に配置する。これにより、保持条片１１は、各アーム５の下側に位置する係止部１１ａと、相互に隣り合うアーム５、５の間に位置する保持部１１ｂを構成する。
【００２８】
この状態で、図２に鎖線で示すように、樹木の根鉢２を台座部４を含んでアーム５の上に載置した後、図３に示すように、保持条片１１の保持部１１ｂを根鉢２を抱持するようにして起立せしめる。このようにして起立された各保持部１１ｂに対して、締結条片１２を挿通せしめると共に、締結条片１２の両端を緊締手段１４によりループ状に連結する。
【００２９】
引き続いて、緊締手段１４を介して締結条片１２のループを縮小するように締結すると、保持部１１ｂを上向きに強く牽引することにより、保持条片１１が根鉢２の周面に圧接せしめられ、同時に根鉢２がアーム５に対して強く縛りつけられる。
【００３０】
この際、保持条片１１の係止部１１ａは、アーム５（棒材５ａ、５ｂ）の溝部７に食い込み、溝部７を挟んで配置された節部６に係止される。従って、締結中及び締結後の何れにおいても、保持条片１１の係止部１１ａは、アーム５の長手方向に移動する虞れは全くない。
【００３１】
（連結装置の構成）
本発明は、上述した植樹安定装置Ａの多数をほぼ水平面上で相互に近隣せしめた状態で設置するに際し、隣接する植樹安定装置を相互に着脱自在に連結する連結装置Ｂを提供するものであり、連結装置Ｂの１実施形態を図４ないし図９に示している。
【００３２】
図４及び図９から明らかなように、植樹安定装置Ａのアーム５に着脱自在に取付けられた抵抗板装置８には被着部材４０が設けられており、該被着部材４０に連結装置Ｂが着脱自在に取付けられる。図例の場合、被着部材４０は、抵抗板装置８を構成する一対のスリーブ１０、１０に架設され、溶接等により固着されている。
【００３３】
連結装置Ｂは、前記被着部材４０に着脱自在に取付けられたとき当該植樹安定装置Ａのアーム５の延長方向に延びるブラケット部材４１と、該ブラケット部材の先端近傍部に設けた挿着スリーブ４２、４２とを備えており、被着部材４０と挿着スリーブ４２、４２の間に位置して連結角度調整手段４３を設けている。従って、連結装置Ｂにより連結された隣接する植樹安定装置Ａ１、Ａ２は、連結角度調整手段４３を介して相互にほぼ水平面上で回動自在とされる。
【００３４】
図例の場合、平行に配置された挿着スリーブ４２、４２は、両スリーブに架設され溶接等により固着された架設部材４４を備えており、該架設部材４４にブラケット部材４１の先端部を取付ける構成としている。
【００３５】
そこで、図示実施形態において、ブラケット部材４１は、一端部を被着部材４０に取付けられ、他端部を架設部材４４に取付けられており、これらの両端部における取付個所のそれぞれに連結角度調整手段４３ａ、４３ｂを構成している。連結角度調整手段４３ａ、４３ｂは、回動軸としての縦軸を構成するボルト４５と、該ボルト４５に螺着されるナット４６から構成することができる。然しながら、連結角度調整手段４３は、図示のようにブラケット部材４１の両端部に設けた構成とする他、ブラケット部材４１の一端部又は他端部の一方にのみ設けても良い。即ち、図示の連結角度調整手段４３ａ、４３ｂのうち、一方４３ａ又は４３ｂだけでも良い。
【００３６】
以下に説明するように、植樹安定装置Ａ１に取付けられた連結装置Ｂ１は、隣接する植樹安定装置Ａ２のアーム５を直接的に連結せしめられる場合と、隣接する植樹安定措置Ａ２に取付けられた連結装置Ｂ２を連結軸４８を介して間接的に連結せしめられる場合とがあるが、何れの場合も、挿着スリーブ４２は、前記アーム５又は連結軸４８を挿脱自在に挿入した状態で固着するセットボルト等の固着手段４７を備えている。
【００３７】
（連結例１）
図４は、隣接する植樹安定装置Ａ１及びＡ２を連結装置Ｂ１及びＢ２により連結した連結例１を示している。この連結例１において、隣接する植樹安定装置Ａ１及びＡ２は、同型（同一サイズ）とされており、従って、アーム５を構成する棒材５ａ、５ｂの間隔ｗは相互に等しい。そして、連結装置Ｂ１及びＢ２における挿着スリーブ４２、４２の間隔は、棒材５ａ、５ｂの間隔ｗと等しい。
【００３８】
そこで、この連結例１によれば、一方の植樹安定装置Ａ１に取付けた連結装置Ｂ１と、他方の植樹安定装置Ａ２に取付けた連結装置Ｂ２を相互に対向状に隣接せしめた状態で、対向する連結装置Ｂ１、Ｂ２の挿着スリーブ４２を連結軸４８により連結する。即ち、連結軸４８の一端部を一方の連結装置Ｂ１の挿着スリーブ４２に挿入すると共に固着手段４７により固着し、他端部を他方の連結装置Ｂ２の挿着スリーブ４２に挿入すると共に固着手段４７により固着する。
【００３９】
連結軸４８は、図４に示すように長さを相違する連結軸４８ａ、４８ｂを準備することにより、隣接する植樹安定装置Ａ１、Ａ２の間における必要な間隔に対応せしめることができる。また、アーム５を構成する棒材と同様に節部４９と溝部５０を長手方向に交互に配置した異径鋼棒により形成した連結軸４８ｃを使用しても良く、この場合、連結軸４８ｃは、挿着スリーブ４２の挿出端に嵌着される着脱リング５１により抜止めを達せられるので、挿着スリーブ４２に設けたセットボルトのような固着手段４７が不要となる。尚、何れの場合も、連結軸４８は挿着スリーブ４２に対して伸縮自在に挿入されており、従って、隣接して対向せしめられた一対の連結装置Ｂ１、Ｂ２の間隔を調整可能とする。
【００４０】
この連結例１によれば、連結軸４８を介して、隣接する植樹安定装置Ａ１、Ａ２を相互に離隔せしめた状態で連結することが可能になり、しかも、それぞれの連結装置Ｂ１、Ｂ２に設けられた連結角度調整手段４３により、植樹安定装置Ａ１、Ａ２を相互にほぼ水平面上で回動せしめることができるので、設置位置に関して自由性を有する。即ち、図８に例示するように、植樹安定装置Ａ１、Ａ２は、連結装置Ｂ１の連結角度調整手段４３ａ、４３ｂと連結装置Ｂ２の連結角度調整手段４３ａ、４３ｂによる合計４個所において、自由に屈折せしめられた状態で連結されるので、所望の位置に設置することが可能になる。
【００４１】
（連結例２）
図５は、隣接する植樹安定装置Ａ１及びＡ３を連結装置Ｂ１により連結した連結例２を示している。即ち、連結例１では、隣接する一対の植樹安定装置Ａ１及びＡ２の両方に連結装置Ｂ１及びＢ２を取付けた構成を示したが、この連結例２においては、植樹安定装置Ａ１に対向して隣接する植樹安定装置Ａ３は、該対向個所において、連結装置を設けておらず、しかも、抵抗板装置８を取外した状態とされる。この連結例２においても、隣接する植樹安定装置Ａ１及びＡ３は、同型（同一サイズ）とされており、従って、アーム５を構成する棒材５ａ、５ｂの間隔ｗは相互に等しい。そして、連結装置Ｂ１における挿着スリーブ４２、４２の間隔は、棒材５ａ、５ｂの間隔ｗと等しい。
【００４２】
そこで、この連結例２によれば、一方の植樹安定装置Ａ１に取付けた連結装置Ｂ１に対して他方の植樹安定装置Ａ２のアーム５、即ち、抵抗板装置８を取外すことにより完全に露出した棒材５ａ、５ｂを対向状に隣接せしめた状態で、該棒材５ａ、５ｂを連結装置Ｂ１の挿着スリーブ４２、４２に挿入すると共に固着手段４７により固着する。この際、棒材５ａ、５ｂが節付きの異径鋼棒から成る場合、固着手段４７は、図４に示したような着脱リング５１を使用しても良い。尚、棒材５ａ、５ｂは、挿着スリーブ４２に対して伸縮自在に挿入されており、従って、一方の植樹安定装置Ａ１の連結装置Ｂ１と他方の植樹安定装置Ａ３の台座部４との間の間隔を調整可能とする。
【００４３】
この連結例２によれば、植樹安定装置Ａ１の抵抗板装置８に取付けた連結装置Ｂ１と、植樹安定装置Ａ３のアーム５（棒材５ａ、５ｂ）を介して、隣接する植樹安定装置Ａ１、Ａ３を相互に連結することが可能になり、しかも、連結装置Ｂ１に設けられた連結角度調整手段４３により、植樹安定装置Ａ１、Ａ３を相互にほぼ水平面上で回動せしめることができるので、設置位置に関して自由性を有する。即ち、図８に例示するように、植樹安定装置Ａ１、Ａ３は、連結装置Ｂ１の連結角度調整手段４３ａ、４３ｂによる２個所において、自由に屈折せしめられた状態で連結されるので、所望の位置に設置することが可能になる。
【００４４】
（連結例３）
図６は、隣接する植樹安定装置Ａ１及びＡ４Ｌを連結装置Ｂ１Ｌ及びＢ４Ｌにより連結した連結例３を示している。この連結例３において、隣接する植樹安定装置のうち、一方の植樹安定装置Ａ１は、上述した連結例１及び２と同様の標準サイズであるのに対して、他方の植樹安定装置Ａ４Ｌは、大型サイズとされている。即ち、標準サイズの植樹安定装置Ａ１における棒材５ａ、５ｂの間隔ｗに対して、大型サイズの植樹安定装置Ａ４Ｌにおける棒材５ａ、５ｂの間隔ｗＬは、ｗ＜ｗＬとされている。このため、連結装置Ｂ１Ｌ及びＢ４Ｌのそれぞれを構成する挿着スリーブ４２、４２の間隔は、前記大型サイズとされた植樹安定装置Ａ４Ｌの棒材５ａ、５ｂの間隔ｗＬと等しい。
【００４５】
そこで、この連結例３によれば、一方の植樹安定装置Ａ１に取付けた連結装置Ｂ１Ｌと、他方の植樹安定装置Ａ４Ｌに取付けた連結装置Ｂ４Ｌを相互に対向状に隣接せしめた状態で、対向する連結装置Ｂ１Ｌ、Ｂ４Ｌの挿着スリーブ４２を連結軸４８により連結する。即ち、連結軸４８の一端部を一方の連結装置Ｂ１Ｌの挿着スリーブ４２に挿入すると共に固着手段４７により固着し、他端部を他方の連結装置Ｂ４Ｌの挿着スリーブ４２に挿入すると共に固着手段４７により固着する。この際、連結軸４８は挿着スリーブ４２に対して伸縮自在に挿入されており、従って、隣接して対向せしめられた一対の連結装置Ｂ１Ｌ、Ｂ４Ｌの間隔を調整可能とする。
【００４６】
この連結例３によれば、標準サイズの植樹安定装置Ａ１と大型サイズの植樹安定装置Ａ４Ｌを相互に離隔せしめた状態で連結することが可能になり、しかも、それぞれの連結装置Ｂ１Ｌ、Ｂ４Ｌに設けられた連結角度調整手段４３により、植樹安定装置Ａ１、Ａ４Ｌを相互にほぼ水平面上で回動せしめることができるので、設置位置に関して自由性を有する。即ち、図８に例示するように、相互にサイズを異にする植樹安定装置Ａ１、Ａ４Ｌを連結することが可能であり、しかも、連結装置Ｂ１Ｌの連結角度調整手段４３ａ、４３ｂと連結装置Ｂ４Ｌの連結角度調整手段４３ａ、４３ｂによる合計４個所において、自由に屈折せしめられた状態で連結されるので、所望の位置に設置することが可能になる。
【００４７】
（連結例４）
図７は、隣接する標準サイズの植樹安定装置Ａ１と大型サイズの植樹安定装置Ａ５Ｌを連結装置Ｂ１Ｌにより連結した連結例４を示している。即ち、連結例３では、隣接する植樹安定装置Ａ１及びＡ４Ｌの両方に連結装置Ｂ１Ｌ及びＢ４Ｌを取付けた構成を示したが、この連結例４においては、一方の植樹安定装置Ａ５Ｌには連結装置を設けておらず、しかも、アーム５から抵抗板装置８を取外している。
【００４８】
そこで、この連結例４によれば、標準サイズの植樹安定装置Ａ１に取付けた連結装置Ｂ１Ｌに対して大型サイズの植樹安定装置Ａ５Ｌのアーム５、即ち、抵抗板装置８を取外すことにより完全に露出した棒材５ａ、５ｂを対向状に隣接せしめた状態で、該棒材５ａ、５ｂを連結装置Ｂ１Ｌの挿着スリーブ４２、４２に挿入すると共に固着手段４７により固着する。この際、棒材５ａ、５ｂが節付きの異径鋼棒から成る場合、固着手段４７は、図４に示したような着脱リング５１を使用しても良い。尚、棒材５ａ、５ｂは、挿着スリーブ４２に対して伸縮自在に挿入されており、従って、一方の植樹安定装置Ａ１の連結装置Ｂ１Ｌと他方の植樹安定装置Ａ５Ｌの台座部４との間の間隔を調整可能とする。
【００４９】
この連結例４によれば、植樹安定装置Ａ１の抵抗板装置８に取付けた連結装置Ｂ１Ｌと、植樹安定装置Ａ５Ｌのアーム５（棒材５ａ、５ｂ）を介して、隣接する大小異なるサイズの植樹安定装置Ａ１、Ａ５Ｌを相互に連結することが可能になり、しかも、連結装置Ｂ１Ｌに設けられた連結角度調整手段４３により、植樹安定装置Ａ１、Ａ５Ｌを相互にほぼ水平面上で回動せしめることができるので、設置位置に関して自由性を有する。即ち、図８に例示するように、植樹安定装置Ａ１、Ａ５Ｌは、連結装置Ｂ１Ｌの連結角度調整手段４３ａ、４３ｂによる２個所において、自由に屈折せしめられた状態で連結されるので、所望の位置に設置することが可能になる。
【００５０】
（その他の連結例）
以上の他、本発明によれば、相互に近隣配置される一対の植樹安定装置が何れも棒材５ａ、５ｂの間隔をｗＬとした大型サイズのものである場合においても、該間隔ｗＬに対応した間隔で挿着スリーブ４２、４２を具備した連結装置（上述のＢ１Ｌ又はＢ４Ｌ）を使用することにより、上記と同様の連結態様に基づき植樹安定装置を回動自在に連結することが可能である。
【００５１】
（根鉢保持手段の構成）
図９ないし図１２は、上述したような植樹安定装置に設けた根鉢保持手段の構成を示している。
【００５２】
植樹安定装置の各アーム５には、根鉢２を底部から側部にかけて支持するための支持部材１９が搭載されており、これにより根鉢保持手段１５を構成する。
【００５３】
図１０に示すように、支持部材１９は、枢軸部２０を備えた枠部材２１と、該枠部材２１に対して前記枢軸２０と平行な連結軸２２を介して回動自在に連結された連結環２３と、枠部材２１と連結環２３の間に架設された湾曲部材２４とから構成されている。
【００５４】
図１１に示すように、枠部材２１は、枢軸部２０をアーム５の下側を横断し且つアーム５の長手方向に遊動自在に配置しており、該枢軸部２０の左右両端部から、アーム５の中心方向内側に向けてアーム５の上方に延びる受部２５と、アームの延長方向外側に延びる起伏部２６とを備え、受部２５と起伏部２６を相互に上向きに屈折せしめた構成とされている。左右一対の受部２５、２５には挟持部２７が架設されており、該挟持部２７は、枢軸部２０よりもアーム５の中心方向内側に位置してアーム５の上側に遊動自在に配置されている。また、左右一対の起伏部２６、２６には連結軸２２の内軸２８が架設されており、該内軸２８と枢軸部２０の間に位置して支持軸２９が平行に架設されている。
【００５５】
連結環２３は、枠部材２１における前記内軸２８に回転自在に外挿された筒状の連結軸２２に溶接等により固着された矩形枠体を構成し、連結軸２２よりも上方位置に梯子状の横架材３０を架設することにより、最上位に後述する牽引索条を連結するための連結部３１を形成している。
【００５６】
湾曲部材２４は、先端を枠部材２１の挟持部２７に溶接等により固着され、該固着個所から凹曲しながら連結環２３の横架材３０に向けて延びる複数の受杆３２を構成し、受杆３２の上端を相互に連結することによりほぼ門形に形成されている。尚、受杆３２は、弾性変形可能なスプリング鋼により形成することが好ましい。
【００５７】
支持部材１９は、図１１（Ａ）及び図１１（Ｂ）に示すように、枢軸部２０をアーム５の下側に位置せしめ、挟持部２７及び支持軸２９をアーム５の上側に位置せしめられており、枠部材２１をアーム５の長手方向に移動自在とする。従って、支持部材１９の位置は、自由に調整可能である。
【００５８】
支持部材１９をアーム５の所定位置に設置した状態で、根鉢２を載置すると、内側に向けて上向き傾斜姿勢とされていた枠部材２１の受部２５と、湾曲部材２４の受杆３２が、図１１（Ｂ）に示すように、下向きに回動せしめられる。このとき、挟持部２７と枢軸部２０がアーム５の上面と下面に圧接されアーム５を上下からクランプするので、支持部材１９の摺動が阻止される。特に、枠部材２１の挟持部２７と枢軸部２０は、アーム５（棒材５ａ、５ｂ）の溝部７に嵌合することにより係止される構成のため、支持部材１９をアーム５の長手方向に移動不能となるように固定する。尚、図例の場合、挟持部２７と枢軸部２０の両者がそれぞれ溝部７に嵌合せしめられる構成としているが、挟持部２７と枢軸部２０の何れか一方が溝部７に嵌合するように構成しておけば良い。
【００５９】
そこで、図１１（Ｂ）及び図１２に示すように、ポリエステルベルト等の帯状又はテープ状の柔軟且つ強靱なベルトから形成された牽引条片３３を連結環２３の連結部３１に挿通せしめると共に、根鉢２の上部に設けたループ状の締結条片１２ａに連結し、ウインチ等の緊締手段１４ａで締結条片１２ａを締結することにより、牽引条片３３を引き上げると、連結環２３が連結軸２２を介して回動起立しつつ、湾曲部材２４を更に凹曲せしめるように弾性変形せしめ、根鉢２の底面から側面にかけて沿うように湾曲せしめられた湾曲部材２４により根鉢２を好適に保持する。
【００６０】
この状態で、弾性変形された湾曲部材２４は、復元力を蓄積しているので、そのスプリング力により牽引条片３３を緊締状態に保持する。
【００６１】
【発明の効果】
本発明は、近隣して配置される複数の植樹安定装置を相互に連結せしめることにより、列設された複数の植樹安定装置の全体を一体として樹木の保持力と装置の強度を確保する構成であるから、風圧等に対する樹木の高い保持力と永年にわたる耐用年数を満足した植樹安定装置を提供することができ、特に、上述したような種々の制約と厳しい条件の下における植樹を強いられる屋上緑化のために最適な結果をもたらすことができる。
【００６２】
そして、複数の植樹安定装置を連結する連結装置は、隣接する植樹安定装置を相互にほぼ水平面上で回動自在とする連結角度調整手段を設けているので、植樹安定装置の連結方向に高い自由性を備えており、屋上緑化のような限られた狭い面積の範囲内における植樹の自由な配列形態と配列方向を可能にできるという優れた効果がある。
【図面の簡単な説明】
【図１】屋上緑化の条件を示す説明図である。
【図２】植樹安定装置の１例を示す全体斜視図である。
【図３】植樹安定装置の使用例を示す斜視図である。
【図４】本発明の１実施形態を示しており、連結例１を示す斜視図である。
【図５】本発明の１実施形態を示しており、連結例２を示す斜視図である。
【図６】本発明の１実施形態を示しており、連結例３を示す斜視図である。
【図７】本発明の１実施形態を示しており、連結例４を示す斜視図である。
【図８】連結例を総合的に示す平面図である。
【図９】本発明の１実施形態と根鉢保持手段の具体例を示す斜視図である。
【図１０】根鉢保持手段を拡大して示す斜視図である。
【図１１】根鉢保持手段の作用を示しており、（Ａ）は根鉢を載置する前の状態を断面にて示す側面図、（Ｂ）は根鉢を載置した状態を断面にて示す側面図である。
【図１２】植樹安定装置の使用例を示す断面図である。
【符号の説明】
２    根鉢
４    台座部
５    アーム
５ａ、５ｂ  棒材
６    節部
７    溝部
８    抵抗板装置
１５    根鉢保持手段
１９    支持部材
４０    被着手段
４１    ブラケット部材
４２    挿着スリーブ
４３（４３ａ、４３ｂ）  連結角度調整手段
４４    架設部材
４７    固着手段
４８    連結軸
Ａ１、Ａ２、Ａ３、Ａ４Ｌ、Ａ５Ｌ  植樹安定装置
Ｂ１、Ｂ２、Ｂ１Ｌ、Ｂ４Ｌ  連結装置
【図１】
2004290090.tif 000003
【図２】
2004290090.tif 000004
【図３】
2004290090.tif 000005
【図４】
2004290090.tif 000006
【図５】
2004290090.tif 000007
【図６】
2004290090.tif 000008
【図７】
2004290090.tif 000009
【図８】
2004290090.tif 000010
【図９】
2004290090.tif 000011
【図１０】
2004290090.tif 000012
【図１１】
2004290090.tif 000013
【図１２】
2004290090.tif 000014